(57)【要約】【課題】  軒樋が連結した際に軒樋の見栄えを損うことのない軒樋の接続構造を提供すること。【解決手段】  軒樋の接続構造１は、コーナー角度θの屋根のコーナー部において２つの軒樋２ａ，２ｂを接続するものであって、軒樋２ａ，２ｂの長手方向の一端１０が、その切断面１３と側面１１とのなす平面視角度が略θ／２となるように、それぞれ切断され、切断面１３同士が当接した状態で軒樋２ａ，２ｂがコーナー角度θと略同一の交差角度でもって互いに交差するように軒樋２ａ，２ｂが配設されるとともに、軒樋２ａ，２ｂの相互のずれを規制するように、当接した軒樋２ａ，２ｂ間に跨って軒樋２ａ，２ｂの内側からその内周面２６に沿うように曲がり継手３が装着されている。【選択図】      図１
2005146745.tif 000002
【特許請求の範囲】
【請求項１】
コーナー角度θの屋根のコーナー部において２つの軒樋を接続する軒樋の接続構造であ
って、前記軒樋の長手方向の一端が、その切断面と側面とのなす平面視角度が略θ／２と
なるように、それぞれ切断され、前記切断面同士が当接した状態で前記軒樋が前記コーナ
ー角度θと略同一の交差角度でもって互いに交差するように前記軒樋が配設されるととも
に、前記軒樋の相互のずれを規制するように、前記当接した軒樋間に跨って前記軒樋の内
側からその内周面に沿うように曲がり継手が装着されることを特徴とする軒樋の接続構造
。
【請求項２】
前記角度θ／２が略４５°であることを特徴とする請求項１に記載の軒樋の接続構造。
【発明の詳細な説明】
【技術分野】
【０００１】
本発明は、相交差する２つの軒樋の接続構造に関する。
【背景技術】
【０００２】
従来より、屋根に軒樋を設ける際に屋根のコーナー部で２つの軒樋を接続する構造とし
て、この屋根のコーナー部と略同一の角度に曲成されその両端にそれぞれ軒樋が取り付け
られるようになっている軒樋の曲がり継手を用いて、２つの軒樋を互いに交差するように
連結する構造が知られている（例えば、特許文献１参照）。
【０００３】
この特許文献１に記載の軒樋の曲成継手（曲がり継手）では、樋状体が曲成されて形成
された継手本体の外面に支持リブが突出形成されており、この支持リブの頂部から継手本
体に平行に外樋状体が形成されて、継手本体と外樋状体との間に軒樋挿入間隙が設けられ
ている。そして、この軒樋挿入間隙に軒樋が挿入固着されて２つの軒樋が接続されるよう
になっている。
【特許文献１】実開平１−８３８３３号公報
【発明の開示】
【発明が解決しようとする課題】
【０００４】
ところで、この軒樋の曲成継手では、軒樋と接続した際に曲成継手の外観が小さく見え
外観を良いものとするように、外樋状体の両外端面が継手本体の両端面より内方に位置す
るようになっているものの、外樋状体は軒樋の側壁の外側に露出する構造となっているた
め軒樋の曲成継手が外観上視認される。さらに、外樋状体の側面と軒樋の側面との間には
外樋状体の肉厚分だけ段差が生じるため、屋外に取り付けられることが通常である軒樋で
は日照方向によって生じる段差の影が軒樋の曲成継手と軒樋との継ぎ目部分をより目立た
せることとなる。これにより、軒樋の曲成継手によって軒樋が連結されていることが外見
から容易に視認され、著しく見栄えに劣る。
【０００５】
本発明は、このような問題に鑑みてなされたもので、軒樋が連結した際に軒樋の見栄え
を損うことのない軒樋の接続構造を提供することを課題としている。
【課題を解決するための手段】
【０００６】
このような課題を解決するために、請求項１に記載の発明は、コーナー角度θの屋根の
コーナー部において２つの軒樋を接続する軒樋の接続構造であって、前記軒樋の長手方向
の一端が、その切断面と側面とのなす平面視角度が略θ／２となるように、それぞれ切断
され、前記切断面同士が当接した状態で前記軒樋が前記コーナー角度θと略同一の交差角
度でもって互いに交差するように前記軒樋が配設されるとともに、前記軒樋の相互のずれ
を規制するように、前記当接した軒樋間に跨って前記軒樋の内側からその内周面に沿うよ
うに曲がり継手が装着されることを特徴とする。
【０００７】
請求項２に記載の発明は、請求項１に記載の発明において、前記角度θ／２が略４５°
であることを特徴とする。
【発明の効果】
【０００８】
請求項１の発明によれば、２つの軒樋の長手方向の一端が、その切断面と側面とのなす
平面視角度が略θ／２となるように、それぞれ切断され、切断面同士が当接した状態で軒
樋がコーナー角度θと略同一の交差角度でもって互いに交差するように軒樋が配設される
とともに、前記軒樋の相互のずれを規制するように、当接した軒樋間に跨って軒樋の内側
からその内周面に沿うように曲がり継手が装着されているので、屋根のコーナー部におい
て軒樋が直接突き合わされて、曲がり継手が外観に現れることがない。また、軒樋同士の
継ぎ目部分が屋根のコーナー部にくるため、この継ぎ目部分もほとんど目立たない。すな
わち、曲がり継手によって軒樋が連結されていることが外見からは視認されず、さらに軒
樋が一体となって屈曲しているように見えるため、軒樋が接続した際にも軒樋の見栄えを
損なうことがない。
【０００９】
請求項２の発明によれば、請求項１の発明の効果を屋根のコーナー部が直角に形成され
ている場合において得ることができる。
【発明を実施するための最良の形態】
【００１０】
以下、図面を参照して本発明の実施の形態について説明する。  
【００１１】
図１は、本発明の実施の形態に係る軒樋の接続構造を示す斜視図である。この軒樋の接
続構造１は、建物の屋根のコーナー部（図示略）において２つの軒樋２ａ，２ｂをそのコ
ーナー部に沿った状態で連結させるための接続構造であり、符号３は曲がり継手を示す。
なお、屋根のコーナー部のコーナー角度θについては、本実施の形態ではθ＝略９０°、
すなわちコーナー部が直角に形成されているものとして説明する。
【００１２】
軒樋２ａ，２ｂは、直線状に延びた底壁４の前側部から前側壁５が起立するとともに、
後側部からは後側壁６が起立して内側に排水路となる溝７が形成されている。また、前側
壁５は外側に向けて若干膨出して形成されるとともに、前側壁５の上端縁部８は断面略矩
形状に屈曲されて内側に係止溝９を形成している。
【００１３】
また、軒樋２ａの長手方向の一端１０は、図２及び図３に示すように、前側壁５の側面
１１（又は後側壁６の側面１２）に対して切断面１３が平面視斜めになるように切断線ｄ
に沿って切断されており、その切断面１３と前側壁５の側面１１とのなす図２下図中右側
の平面視角度は略θ／２、すなわち略４５°となっている。一方、軒樋２ｂの長手方向の
一端１０は、軒樋２ａの一端１０と左右対称に切断されている（したがって、切断面１３
と前側壁５の側面１１とのなす平面視角度は、軒樋２ａと同様略θ／２、すなわち略４５
°である。）。
【００１４】
曲がり継手３は、ゴム製であり、平面略Ｌ字形状に形成されている。また、図４に示す
ように、略Ｌ字形状に延びた底壁１７の前側部からは前側壁１８が起立するとともに、後
側部からは後側壁１９が起立して内側に溝２０が形成され排水路の一部をなすようになっ
ている。さらに、曲がり継手３の外周面２７は軒樋２ａ，２ｂの内周面２６に沿うように
形成されるとともに、前側壁１８の上端縁部には外側に向けて突出した係止突部２１が形
成されて、曲がり継手３が軒樋２ａ，３ｂに装着された際に、軒樋２ａ，２ｂの係止溝９
に係止するようになっている。また、曲がり継手３の両端２２は、後側壁１９の側面２４
に対して切断面２５が平面視斜め４５°になるように切断されている。
【００１５】
この軒樋の接続構造１を構成するには、まず軒樋２ａの切断面１３と軒樋２ｂの切断面
１３とが当接するように軒樋２ａと軒樋２ｂとを互いに交差する位置に配設し（図３参照
）、切断面１３同士を接着固定する（図４参照）。このとき、軒樋２ａと軒樋２ｂとの交
差角度φは、略θ／２＋略θ／２（略４５°＋略４５°）となり、コーナー角度θと略同
一、すなわち略９０°となる。
【００１６】
つぎに、互いに当接した軒樋２ａと軒樋２ｂとの間に跨って軒樋２ａ，２ｂの内側から
その内周面２６に沿うように曲がり継手３を軒樋２ａ，２ｂに嵌合させて装着し、軒樋２
ａ，２ｂの相互の位置ずれを防止する（図１参照）。このとき、曲がり継手３の係止突部
２１が軒樋２ａ，２ｂの係止溝９に係止するので（図５参照）、曲がり継手３が軒樋２ａ
，２ｂにしっかりと嵌合し容易に外れるようなことがない。このようにして、軒樋の接続
構造１が構成され、軒樋２ａ，２ｂが屋根のコーナー部に沿う状態で連結接続される。
【００１７】
この実施の形態に係る軒樋の接続構造１では、軒樋２ａ，２ｂの長手方向の一端１０が
、その切断面１３と前側壁５の側面１１とのなす平面視角度が略θ／２（＝略４５°）と
なるように、それぞれ切断され、切断面１３同士が当接した状態で軒樋２ａ，２ｂがコー
ナー角度θ（＝略９０°）と略同一の交差角度でもって互いに交差するように軒樋２ａ，
２ｂが配設されるとともに、軒樋２ａ，２ｂの相互のずれを規制するように、当接した軒
樋２ａ，２ｂ間に跨って軒樋２ａ，２ｂの内側からその内周面２６に沿うように曲がり継
手３が装着されているので、屋根のコーナー部において軒樋２ａ，２ｂが直接突き合わさ
れて、曲がり継手３が外観に現れることがない。したがって、前述の従来の軒樋の曲成継
手を用いた構造のように軒樋と曲がり継手との継ぎ目部分や段差が外観上視認されるよう
なことがない。さらに、軒樋２ａと軒樋２ｂとの継ぎ目部分が屋根のコーナー部にくるた
め、この継ぎ目部分もほとんど目立たない。すなわち、曲がり継手３によって軒樋２ａ，
２ｂが連結されていることが外見からは視認されず、さらに軒樋２ａ，２ｂが一体となっ
て屈曲しているように見えるため、軒樋２ａ，２ｂが接続した際にも軒樋２ａ，２ｂの見
栄えを損なうことがなく、すっきりとした美感を保つことができる。
【００１８】
なお、本発明は上述した実施の形態に限られるものではなく、例えば本実施の形態では
、曲がり継手３をゴム製として説明したが、これに限られず、例えば樹脂製等であっても
よい。
【００１９】
また、本実施の形態では、切断面１３同士を接着固定してから、曲がり継手３を装着す
るものとして説明したが、例えば、軒樋２ａ，２ｂのそれぞれを曲がり継手３の両端２２
から、軒樋２ａ，２ｂの内周面２６を曲がり継手３の外周面２７に沿わせてスライドさせ
、切断面１３同士が当接して突き合うまで進ませて、連結接続させてもよい。
【００２０】
さらに、屋根のコーナー部のコーナー角度θを略９０°として説明したが、必要に応じ
て適宜任意の角度とすることができる。
【図面の簡単な説明】
【００２１】
【図１】本発明の実施の形態に係る軒樋の接続構造を示し、上図は斜視図であり、下図は平面図である。
【図２】軒樋の切断線を示し、上図は斜視図であり、下図は平面図である。
【図３】軒樋の接続前の状態を示す斜視図である。
【図４】曲がり継手の装着前の状態を示す斜視図である。
【図５】曲がり継手と軒樋との嵌合状態を示す図１のＡ−Ａ’位置における端面図である。
【符号の説明】
【００２２】
１              軒樋の接続構造
２ａ、２ｂ      軒樋
３              曲がり継手
１０              （軒樋の）一端
１１              （軒樋の）側面
１３              切断面
２６              （軒樋の）内周面
【図１】
2005146745.tif 000003
【図２】
2005146745.tif 000004
【図３】
2005146745.tif 000005
【図４】
2005146745.tif 000006
【図５】
2005146745.tif 000007